(57)【要約】【課題】移植骨をマイクロ波照射により加温殺菌する際の温度制御を簡便化する。【解決手段】移植骨を、密閉された殺菌用容器に収納してマイクロ波照射により加温殺菌する。殺菌用容器の内部温度をモニタし、それに基づきマグネトロンの出力、無菌容器を置く可動式台及び可動式反射装置を、制御ユニットのコンピュータにより制御する。そのための温度センサとしては、電熱対或いは半導体温度センサを使用することができる。殺菌後の移植骨は容器に保管され、使用直前に手術室内で開封される。【選択図】    図２
2004254985.tif 000002
【特許請求の範囲】
【請求項１】
移植骨の加温殺菌方法であって、
マイクロ波照射源及び該マイクロ波照射源によりマイクロ波を照射されるべきマイクロ波キャビティを備えたマイクロ波照射装置を準備する過程と、
少なくとも一部がマイクロ波を透過させる素材で形成された密閉無菌加温容器を準備する過程と、
前記加温容器内雰囲気の温度を測定するための温度センサを前記加温容器内に配置する過程と、
前記加温容器内に殺菌されるべき移植骨を配置する過程と、
前記移植骨が配置された前記加温容器を前記マイクロ波キャビティに配置し、前記移植骨に対して、前記マイクロ波照射源によりマイクロ波を照射する過程と、
前記照射過程に際して、前記温度センサの出力に応じて前記マイクロ波照射源からのマイクロ波照射量を制御する過程とを有することを特徴とする移植骨の加温殺菌方法。
【請求項２】
前記加温容器が、その気密性を実質的に維持するように前記温度センサを受容するべき自己シール性開口を有することを特徴とする特許請求の範囲第１項に記載の加温殺菌方法。
【請求項３】
前記加温容器が、前記温度センサを内蔵し、かつ前記温度センサのリードを実質的に気密に外部に引き出すための開口を有することを特徴とする特許請求の範囲第１項に記載の加温殺菌方法。
【請求項４】
前記マイクロ波をパルス状に照射し、前記マイクロ波パルスの休止期に前記温度センサの出力を検出することにより前記加温容器内雰囲気の温度を測定することを特徴とする特許請求の範囲第１項に記載の加温殺菌方法。
【請求項５】
移植骨をマイクロ波照射装置により加温殺菌する際に、前記移植骨を収容するための密閉無菌加温容器であって、
少なくとも一部がマイクロ波を透過させる素材で形成された密閉容器と、
前記密閉容器内に配置された温度センサと、
前記密閉容器内に配置された加湿用媒体とを有することを特徴とする密閉無菌加温容器。
【請求項６】
前記加湿用媒体を保持するための多孔質部材を内蔵していることを特徴とする特許請求の範囲第５項に記載の密閉無菌加温容器。
【請求項７】
前記加温容器が、その気密性を実質的に維持するように前記温度センサを受容するべき自己シール性開口を有することを特徴とする特許請求の範囲第５項に記載の加温殺菌方法。
【請求項８】
前記加温容器が、前記温度センサを内蔵し、かつ前記温度センサのリードを実質的に気密に外部に引き出すための開口を有することを特徴とする特許請求の範囲第５項に記載の加温殺菌方法。
【発明の詳細な説明】
【０００１】
【発明の属する技術分野】
本発明は、様々に異なった性状、形状および大きさを有する移植骨に適用可能な殺菌装置および処理方法に関する。
【０００２】
【従来の技術】
外科手術において骨移植が必要となる場合が多くあり、その適応例としては、骨腫瘍などの病巣掻爬後の充填修復、悪性腫瘍切除後や外傷後に生じた骨欠損部の架橋、骨性連着の獲得、人工関節再置換術の骨欠損部の修復などを挙げることができる。大きな骨欠損の場合、自家骨だけでは充填しきれないため、別の補填材料が必要となる。その補填材料として、最近は人工骨置換材料も開発されているが、同種骨の方が骨誘導、骨伝導の過程を経て自家骨に置換されるため有用性が高い。しかし新鮮同種骨は自家骨と相違して抗原性があるため、通常、化学的な処理を施したり、冷凍保存することで抗原性を低下させる。
【０００３】
さらに、感染の危険性、特に骨移植時のウイルス感染のリスクを最小限にするために、移植骨は術前に適切なウイルスの不活化、殺菌処理を経る必要がある。移植骨全体あるいは骨の一部が、採取後冷凍されボーンバンクに保存される場合には、殺菌処理は保存前に実施される。殺菌処理は、感染症、特にウイルス感染を防止する目的で行なわれるが、骨の生体力学的特性を破壊せず、かつ蛋白構造を維持しなければならない。これらの２つの必要条件は、骨全体を約８０℃の温度に、所定時間に渡って加熱することにより満たすことができる。
【０００４】
この一定の時間、例えば１０分間、移植骨の温度を最低８０℃に保つという殺菌条件は、すでに大腿骨頭の加温処理に広く採用されている。例えば、外科手術を受けた提供者（生体ドナー）から採取された大腿骨頭のための加温殺菌装置「Ｌｏｂａｔｏｒ  ＳＤ−２（商標名）」は、ＵＳＰ５，５９１，３９８（ＥＰ  ０５８４４８４  Ａ１）明細書に記載された処理方法により、この条件を実現している。しかしながら、この装置はあくまで大腿骨頭専用の処理装置であって、それ以外の骨について使用することはできない。
【０００５】
Ｌｏｂａｔｏｒ  ＳＤ−２の殺菌方法においては、大腿骨頭はプラスチック製の円筒形の専用容器に入れられ、加温処理される。該専用容器は、装置の円筒形の加温キャビティ内にぴったり収納されるようになっている。容器には乳酸リンゲル液が、予め定められたレベルまで満たされ、専用の蓋により密封される。該蓋には刺入可能な自動密閉式ストッパが装着されている。加温処理が終了した後に、注入針を備えた別の容器を用いて、乳酸リンゲル液を専用容器から取り除き、その際に必要な通気を行う。この先行特許発明の方法に於いては、乳酸リンゲル液は、容器壁から大腿骨頭への対流熱伝達の媒体として機能する。専用容器には磁気攪拌機が装備され、容器壁の内側、乳酸リンゲル液自体、大腿骨頭の表面等が異なる熱抵抗を有することによる影響をなくし、局部的な温度ピークや、局部的過熱を防ぐようにしている。この撹伴機は、該容器内の大腿骨頭の下方に設けられている。そこで、容器内底部と大腿骨頭の間は一定の距離が保たれるように、大腿骨頭はワイヤスクリーンの上に置かれ、攪拌子はワイヤスクリーンの下方で回転する。
【０００６】
乳酸リンゲル液が注入され、密閉されたプラスチック容器は、装置の電気加温キャビテイ内におかれ、そこで加熱される。装置の構造上、加温処理の間、移植骨の各部の温度や乳酸リンゲル液の温度など、容器内のいかなる部分の温度も測ることができない。そのため、加温時間或いは加温電力など、加温キャビテイの温度制御は、すべて経験的に設定されなければならない。
【０００７】
ＵＳＰ５，５９１，３９８に記載された処理は、経済的、技術的理由から大腿骨頭などの同一種類の比較的小さな形状の移植骨に有効であるが、異なった性状、体積、形状の移植骨は、円筒形の前記専用容器には入らないため、あるいはリンゲル液に完全に浸すことできないため、この方法により処理するのに適していない。従って、他の種類の移植骨を殺菌するためには全く新しい装置を開発する必要がある。
【０００８】
この方法には、経済的な理由以外にも、限界がある。円筒状の容器を大きくして、例えば長さ約２０ｃｍの脛骨近位部のための殺菌用容器を、ワイヤスクリーンの上に置けるようにするには、移植骨や熱伝達用液体を収容する専用容器ばかりでなく、補助装置や撹伴機など、加温するべき対象をすべて大きくしなければならない。したがって、加温対象の熱容量が増大し、その昇温にかなり長い時間が必要となり、昇温段階だけでも、移植骨は高温に長い時間さらされることになり、少なくとも１０分という効果的な殺菌が行われるべき時間を経る前に、移植骨の生物学的特性にダメージを与えることになりかねない。このように、殺菌に有効な時間と、実際の加温時間との比率は、容器を大きくするにしたがって悪化する。
【０００９】
その他の処理法としてＤＥ  ４０  ３７  ８０６  Ａ１に記載された方法がある。この処理方法は、技術には比較的問題はないが、装置が複雑で高価であるという欠点がある。移植骨は、（例えば殺菌水からなる）熱伝達用の液体により満たされた恒温槽の中に収納される。加温には、２つの別個の異なる加温システムを必要とする。恒温槽自体は、第２の熱伝達用液体により満たされた第２の液槽内に置かれる。通常水からなるこの第２の熱伝達用液体は、ポンプにより、バッファータンク、熱交換器及び電気加温機を含む外部ループを循環するようにされる。更に、恒温槽の蓋を通じてマイクロ波エネルギが照射され、移植骨は、このエネルギを直接吸収すると同時に、水によっても直接加熱される。従って、恒温槽の蓋は、高周波電磁エネルギ照射に対して透過性でなければならない。
【００１０】
第２の熱伝達用液体が外部ループを循環することのみによって移植骨を加温しようとした場合には、加温対象の熱容量が過大であることにより、加温に多大な時間を要することとなることから、加温時間を許容範囲内に短縮するためには、マイクロ波エネルギを利用した第２の加温システムが不可欠である。
【００１１】
これら２つの加温システムは、２つの別個の温度センサにより制御される。そのうち１つの温度センサは、移植骨内部の中心部に設置されなければならない。そのため、移植骨の中心部に温度センサを設置するために、ドリル加工により移植骨に孔を設けなければならない。この処理方法によれば、このような２つ加温システムを設けることにより、様々に異なる種類、形状および大きさの骨を好適に殺菌することができる。しかしながら、この方法は、２種類の加温装置、２つの液体水槽、外部ループ管路、ポンプ、バルブおよびバッファータンク等を必要とし、複雑かつ高価となる欠点がある。
【００１２】
そこで、本出願人は、特開２００２−０１７８２６号公報に開示されているように、移植骨をマイクロ波照射のみで所定温度をもって所定時間加温することを特徴とする移植骨の加温殺菌方法を先に提案した。この方法によれば、移植骨の種類、形状及び大きさに応じた最適な加温殺菌が、短時間で、かつ容易に達成される。しかしながら、加温殺菌の条件を最適にするためには、移植骨の温度を精密に監視する必要があり、温度測定のために特殊かつ高価なセンサが必要であったり、温度測定のために多大の労力が必要となる等の更に解決されるべき問題があった。
【００１３】
そこで、本出願人が様々な実験及び研究を行った結果、移植骨の容器内の雰囲気の温度であれば容易に測定可能であり、しかもこの温度を監視するのみで最適な加温殺菌が可能であることを見出した。
【００１４】
【発明が解決しようとする課題】
このような従来技術の問題点及び発明者の知見に鑑み、本発明の主な目的は、様々に異なった種類、形状及び大きさの移植骨を最適かつ容易に殺菌処理可能にする殺菌方法及び装置を提供することにある。
【００１５】
本発明の第２の目的は、複雑或いは高価な補助装置を必要とすることなく、経済的に移植骨を殺菌処理できる殺菌方法及び装置を提供することにある。
【００１６】
本発明の第３の目的は、小型であって、しかも操作容易であることにより、手術室で直接使用するのにも適する殺菌方法及び装置を提供することにある。
【００１７】
【課題を解決するための手段】
このような課題は、本発明によれば、移植骨の加温殺菌方法であって、マイクロ波照射源及び該マイクロ波照射源によりマイクロ波を照射されるべきマイクロ波キャビティを備えたマイクロ波照射装置を準備する過程と、少なくとも一部がマイクロ波を透過させる素材で形成された密閉無菌加温容器を準備する過程と、前記加温容器内雰囲気の温度を測定するための温度センサを前記加温容器内に配置する過程と、前記加温容器内に殺菌されるべき移植骨を配置する過程と、前記移植骨が配置された前記加温容器を前記マイクロ波キャビティに配置し、前記移植骨に対して、前記マイクロ波照射源によりマイクロ波を照射する過程と、前記照射過程に際して、前記温度センサの出力に応じて前記マイクロ波照射源からのマイクロ波照射量を制御する過程とを有することを特徴とする移植骨の加温殺菌方法を提供することにより達成される。
【００１８】
加温容器内雰囲気の温度を測定することは、熱電対或いは半導体温度センサを用いることにより容易に行うことができ、しかも発明者の知見によれば、このような温度センサによる測定結果から、様々に異なった種類、形状及び大きさの移植骨を最適かつ容易に殺菌処理することが可能となる。
【００１９】
加温容器は、殺菌処理後、冷凍保存されたり、運搬される等して取り扱われるが、加温容器が、その気密性を実質的に維持するように前記温度センサを受容するべき自己シール性開口を有するものであれば、殺菌処理が簡便に行い得るばかりでなく、様々に取り扱われても、内部の無菌状態を容易に維持することができる。また、自己シール性開口は、注射針などにより、移植骨のサンプルを無菌状態を破ることなく採取するために用いることもできる。或いは、加温容器が、前記温度センサを内蔵するものとし、かつ前記温度センサのリードを実質的に気密に外部に引き出すための開口を有するものとすれば、温度センサは、容器毎に必要となり、容器の廃棄により失われることになるが、やはり殺菌処理、その他の取り扱いを簡便に行うことができ、また管理上の有利性を得ることも可能となる。
【００２０】
マイクロ波の照射強度や、温度センサの特性によっては、温度センサの出力が、マイクロ波により誘導される電流による干渉を受けることも考えられるが、マイクロ波をパルス状に照射し、マイクロ波パルスの休止期のみに前記温度センサの出力を検出したり、或いは金網などからなるシールドにより温度センサを外囲することにより、マイクロ波により誘導される電流による干渉を回避することができる。
【００２１】
このような方法は、移植骨をマイクロ波照射装置により加温殺菌する際に、前記移植骨を収容するための密閉無菌加温容器であって、少なくとも一部がマイクロ波を透過させる素材で形成された密閉容器と、前記密閉容器内に配置された温度センサと、前記密閉容器内に配置された加湿用媒体とを有することを特徴とする密閉無菌加温容器を用いることにより好適に実施することができる。
【００２２】
移植骨を加温殺菌処理する際に、移植骨を湿潤に保つことは、特開２００２−０１７８２６号公報にも議論されているように重要であって、同公報に開示されているように、加温容器内に貯水部及び移植骨の水没を回避するための網或いスクリーンを用いることもできるが、利便性の点から、加温容器内に、加湿用媒体を保持するためのスポンジ或いは発泡樹脂等からなる多孔質部材を備えているのが好ましい。
【００２３】
【発明の実施の形態】
第１図は、本発明にかかる加温殺菌装置を示している。加温殺菌装置１は、通常の家庭用電子レンジのように前面から開くガラスドアを備えたハウジングを備えている。図示されない移植骨は、密閉容器３に収容され、密閉容器３は、設置台２の上に置かれている。本実施例の場合、設置台２は固定されており、図示外のマイクロ波照射源から、被照射対象に向けてマイクロ波を均一に照射するために、可動式反射装置５がハウジング内に適宜配置されている。設置台２は、概ねマイクロ波を吸収しない材料からなるものとする。それに加えて、或いはそれに代えて、設置台をターンテーブルとし、適宜回転させることにより、マイクロ波の照射を均一にすることもできる。
【００２４】
設置台２の中心部には、円形の凹部が設けられ、その底部の中心からは、注射針状をなす、熱電対式の温度センサ４が突出している。温度センサ４の先端には熱電対が固定され、後記する要領をもって、密閉容器３内に突入している。
【００２５】
温度センサ４により得られる密閉容器３内の温度は、殺菌処理の間モニターされ、それに基づき、制御ユニット１０が、マイクロ波照射量ばかりでなく、反射装置５の動作を制御し、最短時間の間に、移植骨全体に渡って、所定の温度が達成され、さらにこの温度が所定の時間保持されるようにする。ハウジング前面には、制御ユニット１０を操作するためのデイスプレイ７及びキーボード８、９が設けられている。
【００２６】
第２図に示された容器３は、移植骨の表面を加湿しながら、マイクロ波照射するのに適した構成を有する。この容器３は、硬質の樹脂材料からなる有底円筒形をなす容器本体１１を有し、その底部が、設置台２の中心凹部２ａに嵌入することにより、容器本体１１の位置決めがなされる。容器本体底部の内面の中心には軸線方向内向きに突出する円筒形のカラー１３が設けられ、その先端が、互いに周方向に空隙を介して隔てられた３本の突部１４をなしている。
【００２７】
容器本体１１の上端即ち開放端には、Ｏリングからなるシール１２を介して蓋１５がねじ込まれている。蓋１５は、カップ状をなし、その軸線方向フランジの内周に設けられた内ねじが、容器本体開放端の外周に設けられた外ねじと螺合している。軸線方向フランジの外周には、それを把持して回転させようとする際に滑ることがないように、凹凸部１７が設けられている。蓋１５の内面には、容器本体１１内に向けて突出するカラー１６が設けられている。カラー１６により外囲された凹部内及び容器本体底部の円筒形カラー１３外周の環状凹部内には、移植骨を湿潤化するための生理食塩水等を含浸するための発泡樹脂片１８、１９が受容されている。
【００２８】
容器本体底部の円筒形カラー１３の中心は、概ね中空であって、容器内外を互いに連通する孔を画定しているが、自己シール性のゴムプラグ２０により閉じられている。ゴムプラグ２０は、注射用薬剤の壜に設けられ、注射針を突入させ、薬剤を吸入可能とするために広く用いられているもの或いはその同等物からなるものであって良い。また、円筒形カラー１３の外端の周囲には環状溝１１ａが設けられ、第３図に示されるように、円筒形カラー１３の外端にゴムキャップ６を装着し、殺菌後の容器が、ゴムプラグ２０の部分から汚染されるのを防止し得るようにしている。
【００２９】
設置台２の中心凹部２ａの底面中心には、加温殺菌装置１のマイクロ波キャビティの金属製壁板１ａに固着されたねじ付ボス２ｂが突出しており、温度センサ４の拡径基部が、袋ナット２ｃにより、このねじ付ボス２ｂに固定されている。
ねじ付ボス２ｂ及び温度センサ４の基部には、それぞれ対応する接触端子が設けられ、温度センサの出力を、リード４ａを介して、制御ユニット１０に送り出し得るようにしてある。図示された実施例では、温度センサ４が加温殺菌装置１の底部に設けられ、かつ容器３を縦置きとし、その底部に設けられたゴムプラグ２０を貫通するようにしたが、容器３を横置きとしたり、温度センサ４を加温殺菌装置１の側壁、上壁に設けることもでき、また温度センサ４も、容器３の底部に限らず、その側部、上部から容器３内に突入するようにすることができる。
【００３０】
上記した実施例によれば、先ず、発泡樹脂片１８、１９に殺菌水或いは生理食塩水を適宜含浸させ、それを容器３内に配置し、続いて移植骨を容器３内に配置する。更に、容器３を、底部の側から設置台２の中心凹部２ａに押し込むと、容器３は中心凹部２ａにより中心位置決めされ、押し込まれるのに従って、温度センサ４がゴムプラグ２０を貫通し、容器３内に突入する。この状態に於いて、３本の突部１４は、温度センサ４を保護する働きを果たす。この状態で、加温殺菌装置１のドアを閉じ、マイクロ波照射源から容器３内に向けてマイクロ波を照射する。それにより、移植骨は、その表面だけでなく、内部からも加熱されるため、８０℃など、一定温度までの昇温に要する時間を短縮することができる。温度センサ４からの出力に基づき温度を管理しつつ、所定時間移植骨を加熱した後、マイクロ波照射源を停止させる。移植骨の温度がたんぱく質変性温度を超えると、移植骨が移植に適さなくなり、温度が低すぎたり、加温時間が短すぎると殺菌が不充分となる。移植骨の種類、大きさ、形状などの条件に応じて加温条件をデータベース化し、併せて、温度センサ４からの出力に基づきマイクロ波照射源の照射エネルギを制御することにより、移植骨を効率的にかつ確実に殺菌することができる。
【００３１】
マイクロ波の照射強度や、温度センサ４の特性によっては、温度センサ４の出力が、マイクロ波により誘導される電流による干渉を受ける場合もある。そのような場合には、マイクロ波をパルス状に照射し、マイクロ波パルスの休止期のみに前記温度センサの出力を検出することにより、マイクロ波により誘導される電流による干渉を回避することができる。
【００３２】
図４及び５は本発明の第２実施例を示すもので、前記実施例のものに対応する部分には同一の符号を付し、その詳しい説明を省略する。本実施例では、密閉容器３’は横置きに適する構成を備えている。移植骨の種類によっては、容器内で安定に保つ必要があり、容器を横置きにするのが望ましい場合がある。この容器は、図２及び３に示されたものと概ね同様の構成を有するが、横置きにするために、下側になるべき容器の側壁には、平坦な下側載置面１１ｃを画定するべき一対の脚片１１ｂが一体形成されている。下側になるべき容器の内周部には、移植骨Ｂを支持するべき平坦な上側支持面２９ａを画定する多孔板２９が、接着剤その他の手段により固定されている。
【００３３】
脚片１１ｂは、密閉容器３’を、加温殺菌装置１のマイクロ波キャビティの金属製壁板１ａ上に安定に載置可能とするが、密閉容器１１’を加温殺菌した後に、冷凍したり、貯蔵したり、運搬したりする際にも容器を安定に取り扱う上で有用である。また、金属製壁板１ａ上に、これらの脚片１１ｂと協働するガイド構造（図示せず）を設け、容器３’を加温殺菌装置１のマイクロ波キャビティ内に配置する際に、温度センサ４が容器に設けられたゴムプラグ２０を、容易かつ確実に貫通するようにすることもできる。
【００３４】
図６は本発明の第３実施例を示すもので、前記実施例のものに対応する部分には同一の符号を付し、その詳しい説明を省略する。本実施例では、密閉容器３”の底部の構造が上記実施例とやや相違し、図６の右半分に示されるように、容器底部２２が、容器本体１１よりもやや小径の有底円筒形をなし、容器本体１１に対して環状薄肉部２１のみを介して結合されている。図６の左半分は、容器底部２２の外周に設けられた外ねじ２４に螺合する内ねじ２５を有するねじリング２３が装着された状態を示す。図６の右半分に示された実施例では、容器本体１１を安定に保持するために、ねじリング２３を装着するために容器本体１１側に設けられた外ねじ２４を、設置台２の側に設けられた対応内ねじに螺合するようにしている。このようにすれば、重力に抗することができ、容器本体１１を設置する向きを自由に選択することができる。
【００３５】
また、図２及び３に示された実施例では、設置台２が１２０度間隔に配置された３つの部材から構成されていたが、本実施例では、設置台２は９０度間隔に配置された４つの部材から構成されている。容器底部２２の、容器本体１１に対向する端部には、複数のナイフエッジ２６が突出しており、容器底部２２を容器本体１１に対してねじ込むに従って、ナイフエッジ２６が環状薄肉部２１に食い込み、やがて環状薄肉部２１を完全に切断するように適合されている。ナイフエッジ２６は、例えば、傾斜した鋭利な先端を有する複数の突部を、容器底部２２の端部に一体的に成形したものであって良い。
【００３６】
温度センサ４は、前記実施例と同様に容器３”に突入しているが、その基端部はねじナット２７により、設置台凹部中央の壁板１ａに固定され、温度センサ４のリード線２８は、壁板１ａを貫通して、制御ユニット１０に至っている。
【００３７】
ねじリング２３が容器本体１１に装着される時点としては、最終的に、ナイフエッジ２６により密閉容器３を開き、殺菌済み移植骨を取り出すまでの任意の時点であってよい。例えば、密閉容器３”をねじリング２３が装着されない状態で、その内部の移植骨を加温殺菌し、その後、ねじリング２３を密閉容器３”に装着しても（図６の右半分）、或いはねじリング２３を密閉容器３に装着した状態で加温殺菌するようにしても（図６の左半分）良い。いずれにせよ、前記実施例の場合には、密閉容器を繰り返し使用することができたが、本実施例の場合には、移植骨を取り出すために環状薄肉部２１を切断することが必要であることから、一回の使用ができるのみである。管理上の要請により、これらの内のいずれかを選択すればよい。特に、一回のみの使用とする場合には、蓋１５が、一旦装着されると再び開くことができないような構成とするのが望ましい。
【００３８】
図７及び８は本発明の第４実施例を示すもので、図示された密閉容器３０は、同じく硬質の樹脂材料からなる有底円筒形をなす容器本体３１を有し、その底部３６は、第２実施例と同様の要領をもって、環状薄肉部４２を介して容器本体３１に結合されている。底部３６の外周には外ねじ３７が設けられ、前記実施例と同様のナイフエッジ４６を備えたねじリング４３の内ねじ４５と螺合し、ねじリング４３が装着される。
【００３９】
本実施例では、蓋３２は、その外ねじ３４を容器本体３１側の内ねじ３３と螺合することにより容器本体３１に装着される。蓋３２は把持し難い形状をなしており、一旦手動により或いは特殊工具を用いて蓋３２を装着すると、手動によっては再び開くことができないようにされている。このような目的を一層好適に達成するために、ねじリング４３が通常の右ねじで螺合されるようにするのに対し、蓋３２のねじを左ねじとすることもできる。
【００４０】
底部３６の内面中心部には、カラー３８が突設されており、更にその中心部には熱電対式の温度センサ３９が突設されている。温度センサ３９のリードが底部３６を貫通して外部に引き出されるように、底部３６内にコネクタ４０がインサートモールドされている。この場合も、温度センサ３９の出力が、マイクロ波により誘導される電流による干渉を受けないように、マイクロ波をパルス状に照射し、マイクロ波パルスの休止期のみに前記温度センサの出力を検出することにより、マイクロ波により誘導される電流による干渉を回避することができる。或いは、破線により示したように、温度センサ３９のリードのシールドに対して電気的に接続された金網４１からなるシールドにより温度センサ３９を外囲し、温度センサ３９の出力が、マイクロ波により誘導される電流による干渉を受けないようにすることもできる。その場合、当然、マイクロ波をパルス状に照射したり、或いはマイクロ波パルスの休止期のみに前記温度センサの出力を検出する必要がなくなる。前記実施例では温度センサが繰り返し使用されるのに対し、本実施例の場合、温度センサ３９は容器本体３１に一体化され、一度のみ使用されることになる。
【００４１】
【発明の効果】
以上述べたように、本発明にかかる移植骨の殺菌方法によれば、移植骨の表面だけでなく、移植骨の内部からも加熱されるため、８０℃など、一定温度までの昇温に要する時間を短縮することができる。また、加温条件などを、容易に測定可能な加温容器内温度に基づきコンピュータ制御することができるで、移植骨の種類、大きさ、形状などの条件に応じたプログラムを使用することで、広い範囲の移植骨を効率的に殺菌することができる。
【図面の簡単な説明】
【図１】本発明にかかる移植骨の殺菌方法の実施に適する加温殺菌装置を示す正面図。
【図２】本発明にかかる無菌容器の第１実施例を示す縦断面図。
【図３】図２の無菌容器の底部にゴムキャップが装着された状態を示す要部縦断面図。
【図４】本発明にかかる無菌容器の第２実施例を示す図２と同様の図。
【図５】図４のＶ−Ｖ線についてみた断面図。
【図６】本発明にかかる無菌容器の第３実施例を示す要部縦断面図。
【図７】本発明にかかる無菌容器の第４実施例を示す図２と同様の図。
【図８】本発明にかかる無菌容器の第４実施例の分解断面図。
【符号の説明】
１  マイクロ波加温装置
１ａ  壁板
２  設置台
２ａ  凹部
２ｂ  ねじ付ボス
２ｃ  袋ナット
３、３’、３”  無菌容器
４  温度センサ
４ａ  リード
５  反射装置
６  ゴムキャップ
７  デイスプレイ
８、９  キーボード
１０  制御ユニット
１１  容器本体
１１ａ  環状溝
１２  シール
１３  円筒形カラー
１４  突部
１５  蓋
１６  カラー
１７  凹凸部
１８、１９  発泡樹脂片
２０  ゴムプラグ
２１  環状薄肉部
２２  容器底部
２３  ねじリング
２４  外ねじ
２５  内ねじ
２６  ナイフエッジ
２７  ねじナット
２８  リード
３０  容器
３１  容器本体
３２  蓋
３３、３４  ねじ
３５  シール
３６  底部
３７  ねじ
３８  カラー
３９  温度センサ
４０  コネクタ
４１  金網
４２  環状薄肉部
４３  ねじリング
４４  ねじ
４５  内ねじ
４６  ナイフエッジ
【図１】
2004254985.tif 000003
【図２】
2004254985.tif 000004
【図３】
2004254985.tif 000005
【図４】
2004254985.tif 000006
【図５】
2004254985.tif 000007
【図６】
2004254985.tif 000008
【図７】
2004254985.tif 000009
【図８】
2004254985.tif 000010